【手続補正書】
【提出日】平成29年1月24日(2017.1.24)
【手続補正１】
【補正対象書類名】明細書
【補正対象項目名】００１６
【補正方法】変更
【補正の内容】
【００１６】
本発明は、上記課題を解決するものであり、名寄せ帳票に添付した添付情報を新たに生成した名寄せ帳票へも添付することで業務の効率化を図ることができる帳票生成装置、帳票生成システム、制御方法、及びプログラムを提供することを目的とする。
【手続補正２】
【補正対象書類名】明細書
【補正対象項目名】００１７
【補正方法】変更
【補正の内容】
【００１７】
上記目的を達成するための第１の発明は、電子帳票を生成する帳票生成装置であって、前記電子帳票を生成するための帳票データを記憶する帳票データ記憶手段と、元の電子帳票の所定領域に対する、前記元の電子帳票から新たな電子帳票を生成する際に用いられる生成条件を記憶する生成条件記憶手段と、表示部へ表示された元の電子帳票に対して新たな電子帳票の生成指示を受付ける生成指示受付手段と、前記生成指示受付手段によって新たな電子帳票の生成指示を受付けると、前記生成条件記憶手段によって記憶された生成条件に従って、前記元の電子帳票の所定領域に対応する、前記元の電子帳票に関連する電子帳票の帳票データを前記帳票データ記憶手段から取得して新たな電子帳票を生成する新帳票生成手段と、前記新たな電子帳票の所定領域に対して添付された添付情報を記憶する添付情報記憶手段と、を備え、前記新帳票生成手段は、前記帳票データ記憶手段に記憶した前記元の電子帳票に関連する電子帳票の帳票データであって、新たに登録された帳票データを含む帳票データを用いて、前記生成条件記憶手段の生成条件に従って生成された新たな電子帳票における前記添付情報記憶手段の所定領域に対応する領域に対して、前記添付情報を添付して前記新たな電子帳票を生成する、ことを特徴とする帳票生成装置である。
【手続補正３】
【補正対象書類名】明細書
【補正対象項目名】００１８
【補正方法】変更
【補正の内容】
【００１８】
上記目的を達成するための第２の発明は、クライアント装置と電子帳票を生成する帳票生成装置とがネットワークを介して接続された帳票生成システムであって、前記クライアント装置は、表示部へ表示された元の電子帳票に対して新たな電子帳票の生成指示を受付ける生成指示受付手段と、を備え、前記帳票生成装置は、前記電子帳票を生成するための帳票データを記憶する帳票データ記憶手段と、元の電子帳票の所定領域に対する、前記元の電子帳票から新たな電子帳票を生成する際に用いられる生成条件を記憶する生成条件記憶手段と、前記生成指示受付手段によって新たな電子帳票の生成指示を受付けると、前記生成条件記憶手段によって記憶された生成条件に従って、前記元の電子帳票の所定領域に対応する、前記元の電子帳票に関連する電子帳票の帳票データを前記帳票データ記憶手段から取得して新たな電子帳票を生成する新帳票生成手段と、前記新たな電子帳票の所定領域に対して添付された添付情報を記憶する添付情報記憶手段と、を備え、前記新帳票生成手段は、前記帳票データ記憶手段に記憶した前記元の電子帳票に関連する電子帳票の帳票データであって、新たに登録された帳票データを含む帳票データを用いて、前記生成条件記憶手段の生成条件に従って生成された新たな電子帳票における前記添付情報記憶手段の所定領域に対応する領域に対して、前記添付情報を添付して前記新たな電子帳票を生成する、ことを特徴とする帳票生成システムである。
【手続補正４】
【補正対象書類名】明細書
【補正対象項目名】００１９
【補正方法】変更
【補正の内容】
【００１９】
上記目的を達成するための第３の発明は、電子帳票を生成する帳票生成装置の制御方法であって、前記帳票生成装置は、前記電子帳票を生成するための帳票データを記憶する帳票データ記憶工程と、元の電子帳票の所定領域に対して、前記元の電子帳票から新たな電子帳票を生成する際に用いられる生成条件を記憶する生成条件記憶工程と、元の電子帳票の所定領域に対する、前記元の電子帳票から新たな電子帳票を生成する際に用いられる生成条件を記憶する生成条件記憶工程と、表示部へ表示された元の電子帳票に対して新たな電子帳票の生成指示を受付ける生成指示受付工程と、前記生成指示受付工程によって新たな電子帳票の生成指示を受付けると、前記生成条件記憶工程によって記憶された生成条件に従って、前記元の電子帳票の所定領域に対応する、前記元の電子帳票に関連する電子帳票の帳票データを前記帳票データ記憶工程から取得して新たな電子帳票を生成する新帳票生成工程と、前記新たな電子帳票の所定領域に対して添付された添付情報を記憶する添付情報記憶工程と、を実行し、前記新帳票生成工程は、前記帳票データ記憶工程に記憶した前記元の電子帳票に関連する電子帳票の帳票データであって、新たに登録された帳票データを含む帳票データを用いて、前記生成条件記憶工程の生成条件に従って生成された新たな電子帳票における前記添付情報記憶工程の所定領域に対応する領域に対して、前記添付情報を添付して前記新たな電子帳票を生成することを実行することを特徴とする帳票生成装置の制御方法である。
【手続補正５】
【補正対象書類名】明細書
【補正対象項目名】００２０
【補正方法】変更
【補正の内容】
【００２０】
上記目的を達成するための第４の発明は、クライアント装置と電子帳票を生成する帳票生成装置とがネットワークを介して接続された帳票生成システムの制御方法であって、前記クライアント装置は、表示部へ表示された元の電子帳票に対して新たな電子帳票の生成指示を受付ける生成指示受付工程、を実行し、前記帳票生成装置は、前記電子帳票を生成するための帳票データを記憶する帳票データ記憶工程と、元の電子帳票の所定領域に対する、前記元の電子帳票から新たな電子帳票を生成する際に用いられる生成条件を記憶する生成条件記憶工程と、前記生成指示受付工程によって新たな電子帳票の生成指示を受付けると、前記生成条件記憶工程によって記憶された生成条件に従って、前記元の電子帳票の所定領域に対応する、前記元の電子帳票に関連する電子帳票の帳票データを前記帳票データ記憶工程から取得して新たな電子帳票を生成する新帳票生成工程と、前記新たな電子帳票の所定領域に対して添付された添付情報を記憶する添付情報記憶工程と、を実行し、前記新帳票生成工程は、前記帳票データ記憶工程に記憶した前記元の電子帳票に関連する電子帳票の帳票データであって、新たに登録された帳票データを含む帳票データを用いて、前記生成条件記憶工程の生成条件に従って生成された新たな電子帳票における前記添付情報記憶工程の所定領域に対応する領域に対して、前記添付情報を添付して前記新たな電子帳票を生成することを実行することを特徴とする帳票生成システムの制御方法である。
【手続補正６】
【補正対象書類名】明細書
【補正対象項目名】００２１
【補正方法】変更
【補正の内容】
【００２１】
上記目的を達成するための第５の発明は、電子帳票を生成する帳票生成装置において実行されるプログラムであって、前記帳票生成装置を、前記電子帳票を生成するための帳票データを記憶する帳票データ記憶手段と、元の電子帳票の所定領域に対する、前記元の電子帳票から新たな電子帳票を生成する際に用いられる生成条件を記憶する生成条件記憶手段と、表示部へ表示された元の電子帳票に対して新たな電子帳票の生成指示を受付ける生成指示受付手段と、前記生成指示受付手段によって新たな電子帳票の生成指示を受付けると、前記生成条件記憶手段によって記憶された生成条件に従って、前記元の電子帳票の所定領域に対応する、前記元の電子帳票に関連する電子帳票の帳票データを前記帳票データ記憶手段から取得して新たな電子帳票を生成する新帳票生成手段と、前記新たな電子帳票の所定領域に対して添付された添付情報を記憶する添付情報記憶手段と、して機能させ、前記新帳票生成手段は、前記帳票データ記憶手段に記憶した前記元の電子帳票に関連する電子帳票の帳票データであって、新たに登録された帳票データを含む帳票データを用いて、前記生成条件記憶手段の生成条件に従って生成された新たな電子帳票における前記添付情報記憶手段の所定領域に対応する領域に対して、前記添付情報を添付して前記新たな電子帳票を生成するとして機能させるためのプログラムである。
【手続補正７】
【補正対象書類名】明細書
【補正対象項目名】００２２
【補正方法】変更
【補正の内容】
【００２２】
上記目的を達成するための第６の発明は、クライアント装置と電子帳票を生成する帳票生成装置とがネットワークを介して接続された帳票生成システムにおいて実行されるプログラムであって、前記クライアント装置を、表示部へ表示された元の電子帳票に対して新たな電子帳票の生成指示を受付ける生成指示受付手段、として機能させ、前記帳票生成装置を、前記電子帳票を生成するための帳票データを記憶する帳票データ記憶手段と、元の電子帳票の所定領域に対する、前記元の電子帳票から新たな電子帳票を生成する際に用いられる生成条件を記憶する生成条件記憶手段と、前記生成指示受付手段によって新たな電子帳票の生成指示を受付けると、前記生成条件記憶手段によって記憶された生成条件に従って、前記元の電子帳票の所定領域に対応する、前記元の電子帳票に関連する電子帳票の帳票データを前記帳票データ記憶手段から取得して新たな電子帳票を生成する新帳票生成手段と、前記新たな電子帳票の所定領域に対して添付された添付情報を記憶する添付情報記憶手段と、して機能させ、前記新帳票生成手段は、前記帳票データ記憶手段に記憶した前記元の電子帳票に関連する電子帳票の帳票データであって、新たに登録された帳票データを含む帳票データを用いて、前記生成条件記憶手段の生成条件に従って生成された新たな電子帳票における前記添付情報記憶手段の所定領域に対応する領域に対して、前記添付情報を添付して前記新たな電子帳票を生成するとして機能させるためのプログラムである。
【手続補正８】
【補正対象書類名】明細書
【補正対象項目名】００２３
【補正方法】変更
【補正の内容】
【００２３】
本発明によれば、名寄せ帳票に添付した添付情報を新たに生成した名寄せ帳票へも添付することで業務の効率化を図ることが可能となる、という効果を奏する。
【手続補正９】
【補正対象書類名】特許請求の範囲
【補正対象項目名】全文
【補正方法】変更
【補正の内容】
【特許請求の範囲】
【請求項１】
電子帳票を生成する帳票生成装置であって、
前記電子帳票を生成するための帳票データを記憶する帳票データ記憶手段と、
元の電子帳票の所定領域に対する、前記元の電子帳票から新たな電子帳票を生成する際に用いられる生成条件を記憶する生成条件記憶手段と、
表示部へ表示された元の電子帳票に対して新たな電子帳票の生成指示を受付ける生成指示受付手段と、
前記生成指示受付手段によって新たな電子帳票の生成指示を受付けると、前記生成条件記憶手段によって記憶された生成条件に従って、前記元の電子帳票の所定領域に対応する、前記元の電子帳票に関連する電子帳票の帳票データを前記帳票データ記憶手段から取得して新たな電子帳票を生成する新帳票生成手段と、
前記新たな電子帳票の所定領域に対して添付された添付情報を記憶する添付情報記憶手段と、
を備え、
前記新帳票生成手段は、前記帳票データ記憶手段に記憶した前記元の電子帳票に関連する電子帳票の帳票データであって、新たに登録された帳票データを含む帳票データを用いて、前記生成条件記憶手段の生成条件に従って生成された新たな電子帳票における前記添付情報記憶手段の所定領域に対応する領域に対して、前記添付情報を添付して前記新たな電子帳票を生成する、
ことを特徴とする帳票生成装置。
【請求項２】
前記添付情報記憶手段は、前記新たな電子帳票に対して添付情報が添付された所定領域に対応する前記元の電子帳票の所定領域にかかる情報を記憶し、
前記元の電子帳票の所定領域へ前記添付情報記憶手段に記憶した添付情報を添付する元帳票生成手段と、
を備えたことを特徴とする請求項１に記載の帳票生成装置。
【請求項３】
前記新帳票生成手段は、前記新たな電子帳票とは異なる新たな電子帳票を生成するにあたり、前記元の電子帳票の所定領域に対して前記添付情報記憶手段に記憶された添付情報が添付されている場合、前記異なる新たな電子帳票の所定領域へ当該添付情報を添付して新たな電子帳票を生成することを特徴とする請求項２に記載の帳票生成装置。
【請求項４】
クライアント装置と電子帳票を生成する帳票生成装置とがネットワークを介して接続された帳票生成システムであって、
前記クライアント装置は、
表示部へ表示された元の電子帳票に対して新たな電子帳票の生成指示を受付ける生成指示受付手段と、
を備え、
前記帳票生成装置は、
前記電子帳票を生成するための帳票データを記憶する帳票データ記憶手段と、
元の電子帳票の所定領域に対する、前記元の電子帳票から新たな電子帳票を生成する際に用いられる生成条件を記憶する生成条件記憶手段と、
前記生成指示受付手段によって新たな電子帳票の生成指示を受付けると、前記生成条件記憶手段によって記憶された生成条件に従って、前記元の電子帳票の所定領域に対応する、前記元の電子帳票に関連する電子帳票の帳票データを前記帳票データ記憶手段から取得して新たな電子帳票を生成する新帳票生成手段と、
前記新たな電子帳票の所定領域に対して添付された添付情報を記憶する添付情報記憶手段と、
を備え、
前記新帳票生成手段は、前記帳票データ記憶手段に記憶した前記元の電子帳票に関連する電子帳票の帳票データであって、新たに登録された帳票データを含む帳票データを用いて、前記生成条件記憶手段の生成条件に従って生成された新たな電子帳票における前記添付情報記憶手段の所定領域に対応する領域に対して、前記添付情報を添付して前記新たな電子帳票を生成する、
ことを特徴とする帳票生成システム。
【請求項５】
電子帳票を生成する帳票生成装置の制御方法であって、
前記帳票生成装置は、
前記電子帳票を生成するための帳票データを記憶する帳票データ記憶工程と、
元の電子帳票の所定領域に対して、前記元の電子帳票から新たな電子帳票を生成する際に用いられる生成条件を記憶する生成条件記憶工程と、
元の電子帳票の所定領域に対する、前記元の電子帳票から新たな電子帳票を生成する際に用いられる生成条件を記憶する生成条件記憶工程と、
表示部へ表示された元の電子帳票に対して新たな電子帳票の生成指示を受付ける生成指示受付工程と、
前記生成指示受付工程によって新たな電子帳票の生成指示を受付けると、前記生成条件記憶工程によって記憶された生成条件に従って、前記元の電子帳票の所定領域に対応する、前記元の電子帳票に関連する電子帳票の帳票データを前記帳票データ記憶工程から取得して新たな電子帳票を生成する新帳票生成工程と、
前記新たな電子帳票の所定領域に対して添付された添付情報を記憶する添付情報記憶工程と、
を実行し、
前記新帳票生成工程は、前記帳票データ記憶工程に記憶した前記元の電子帳票に関連する電子帳票の帳票データであって、新たに登録された帳票データを含む帳票データを用いて、前記生成条件記憶工程の生成条件に従って生成された新たな電子帳票における前記添付情報記憶工程の所定領域に対応する領域に対して、前記添付情報を添付して前記新たな電子帳票を生成すること
を実行することを特徴とする帳票生成装置の制御方法。
【請求項６】
クライアント装置と電子帳票を生成する帳票生成装置とがネットワークを介して接続された帳票生成システムの制御方法であって、
前記クライアント装置は、
表示部へ表示された元の電子帳票に対して新たな電子帳票の生成指示を受付ける生成指示受付工程、
を実行し、
前記帳票生成装置は、
前記電子帳票を生成するための帳票データを記憶する帳票データ記憶工程と、
元の電子帳票の所定領域に対する、前記元の電子帳票から新たな電子帳票を生成する際に用いられる生成条件を記憶する生成条件記憶工程と、
前記生成指示受付工程によって新たな電子帳票の生成指示を受付けると、前記生成条件記憶工程によって記憶された生成条件に従って、前記元の電子帳票の所定領域に対応する、前記元の電子帳票に関連する電子帳票の帳票データを前記帳票データ記憶工程から取得して新たな電子帳票を生成する新帳票生成工程と、
前記新たな電子帳票の所定領域に対して添付された添付情報を記憶する添付情報記憶工程と、
を実行し、
前記新帳票生成工程は、前記帳票データ記憶工程に記憶した前記元の電子帳票に関連する電子帳票の帳票データであって、新たに登録された帳票データを含む帳票データを用いて、前記生成条件記憶工程の生成条件に従って生成された新たな電子帳票における前記添付情報記憶工程の所定領域に対応する領域に対して、前記添付情報を添付して前記新たな電子帳票を生成すること
を実行することを特徴とする帳票生成システムの制御方法。
【請求項７】
電子帳票を生成する帳票生成装置において実行されるプログラムであって、
前記帳票生成装置を、
前記電子帳票を生成するための帳票データを記憶する帳票データ記憶手段と、
元の電子帳票の所定領域に対する、前記元の電子帳票から新たな電子帳票を生成する際に用いられる生成条件を記憶する生成条件記憶手段と、
表示部へ表示された元の電子帳票に対して新たな電子帳票の生成指示を受付ける生成指示受付手段と、
前記生成指示受付手段によって新たな電子帳票の生成指示を受付けると、前記生成条件記憶手段によって記憶された生成条件に従って、前記元の電子帳票の所定領域に対応する、前記元の電子帳票に関連する電子帳票の帳票データを前記帳票データ記憶手段から取得して新たな電子帳票を生成する新帳票生成手段と、
前記新たな電子帳票の所定領域に対して添付された添付情報を記憶する添付情報記憶手段と、
して機能させ、
前記新帳票生成手段は、前記帳票データ記憶手段に記憶した前記元の電子帳票に関連する電子帳票の帳票データであって、新たに登録された帳票データを含む帳票データを用いて、前記生成条件記憶手段の生成条件に従って生成された新たな電子帳票における前記添付情報記憶手段の所定領域に対応する領域に対して、前記添付情報を添付して前記新たな電子帳票を生成すると
して機能させるためのプログラム。
【請求項８】
クライアント装置と電子帳票を生成する帳票生成装置とがネットワークを介して接続された帳票生成システムにおいて実行されるプログラムであって、
前記クライアント装置を、
表示部へ表示された元の電子帳票に対して新たな電子帳票の生成指示を受付ける生成指示受付手段、
として機能させ、
前記帳票生成装置を、
前記電子帳票を生成するための帳票データを記憶する帳票データ記憶手段と、
元の電子帳票の所定領域に対する、前記元の電子帳票から新たな電子帳票を生成する際に用いられる生成条件を記憶する生成条件記憶手段と、
前記生成指示受付手段によって新たな電子帳票の生成指示を受付けると、前記生成条件記憶手段によって記憶された生成条件に従って、前記元の電子帳票の所定領域に対応する、前記元の電子帳票に関連する電子帳票の帳票データを前記帳票データ記憶手段から取得して新たな電子帳票を生成する新帳票生成手段と、
前記新たな電子帳票の所定領域に対して添付された添付情報を記憶する添付情報記憶手段と、
して機能させ、
前記新帳票生成手段は、前記帳票データ記憶手段に記憶した前記元の電子帳票に関連する電子帳票の帳票データであって、新たに登録された帳票データを含む帳票データを用いて、前記生成条件記憶手段の生成条件に従って生成された新たな電子帳票における前記添付情報記憶手段の所定領域に対応する領域に対して、前記添付情報を添付して前記新たな電子帳票を生成すると
して機能させるためのプログラム。